(57)【特許請求の範囲】
【請求項１】
メダル払出ホッパーから溢れたメダルを収納するメダル補助収納庫であって、
底面部の周囲を１対の長側壁と１対の短側壁とで囲んで構成され、メダルを収納するケース本体、
前記ケース本体の底面部に形成されかつメダルを排出するための開口部、
平面形状が前記ケース本体の前記底面部よりも小さくかつ前記開口部よりも大きな形状に選ばれ、前記平面形状の一部が前記開口部の全面を塞ぐ蓋部となる板状の蓋体、
前記一方の長側壁の下方位置でありかつ前記ケース本体の前記底面部に、当該長側壁に沿って細長く形成された溝部、
前記蓋体の一辺に沿って一体的に形成されかつ短辺の長さが前記溝部の深さ程度に選ばれ、溝部に嵌入される取着部、および
前記蓋体における蓋部と前記取着部との間であって当該蓋体の一辺に沿う方向に形成され、かつ蓋体の厚みよりも薄くされることによって折り曲げ可能にされた可撓部を備え、
前記蓋体は、前記取着部を前記溝部に嵌入することによって、蓋体の側面から見て可撓部を軸として、前記ケース本体の内側で回動自在に支持され、
さらに、前記蓋体は、前記一方の長側壁に接するように前記ケース本体の内側で直立させることによって前記開口部を開放した状態とし、前記底面部に接するように回動させて底面部の上に載せられることによって開口部を閉塞した状態とすることを特徴とする、メダル補助収納庫。
【請求項２】
前記ケース本体の一方の長側壁の上部と、前記蓋体における前記取着部とは反対側の端部に関連して、ケース本体の前記開口部を開放した状態で前記蓋体を維持するための第１の係止部が形成され、
前記ケース本体の他方の長側壁の下部と、前記蓋体における前記取着部とは反対側の端部に関連して、ケース本体の前記開口部を閉塞した状態で前記蓋体を維持するための第２の係止部が形成されることを特徴とする、請求項１に記載のメダル補助収納庫。
【請求項３】
前記ケース本体の底面部の裏側には、前記開口部の内周部を囲むように、リブが突出して形成され、
前記リブは、その下端部分が前記一対の長側壁および前記一対の短側壁の下端部と略同一面となるように選ばれる、請求項１または請求項２に記載のメダル補助収納庫。
【発明の詳細な説明】
【技術分野】
【０００１】
本発明は、スロットマシンのメダル払出ホッパーに隣接して設置されて用いられるメダル補助収納庫に関する。
【背景技術】
【０００２】
我国でパチスロと称されるスロットマシンは、前面が開放している箱形の筐体と、この筐体に対して前面を開閉自在に取り付けられているドアとを備えている。ドアの正面には、液晶表示器、リールフロントパネル、スピーカー、メダル受け皿等が取り付けられている。また、筐体内の中央部にはリールユニットが配置され、筐体内の下部には、内部に貯まった遊技用のメダルをメダル受け皿へと払出すためのホッパーが据え付けられ、ホッパーに隣接するように、ホッパーからオーバーフローしたメダルを一時的に貯留するためのメダル補助収納庫が併設されている。
【０００３】
メダル補助収納庫は上方が開口した樹脂成型体からなる箱体とされ、メダル補助収納庫内のメダルは、通常所定量まで貯留され、メダル補助収納庫内が満杯状態となると、ホール従業員により手動で回収される。つまり、メダル補助収納庫内がメダルで満杯状態となるとスロットマシンの前面にエラー表示が行われ、このエラー表示が行われるとホール従業員は、スロットマシンのドアを鍵で開放して筐体内部のメダル補助収納庫内のメダルを手動で回収するようにしている。
なお、メダル補助収納庫内がメダルで満杯になったかどうかは、メダル補助収納庫の箱本体の内壁に設けられた２本の電極が導体である金属製のメダルにより短絡することでセンシングされている。
【０００４】
近年、メダル補助収納庫内にオーバーフローしたメダルを自動的に回収するシステムも一般的に導入されている。メダルを自動的に回収する場合は、メダル補助収納庫の底面にメダル自動回収用の貫通口を設けておき、ホッパーの上部に設けられたタンクがメダルで満杯になりオーバーフローしたメダルがタンクのメダル排出口からメダル補助収納庫内に上方から流入されると、当該貫通口からスロットマシンの筐体の底面に設けられたメダル回収孔及び遊技島の設置枠に設けた開口を介してメダル回収用ベルトコンベアのベルト上へ落下させられる。
【０００５】
従来のメダル補助収納庫は、上述したように、メダルの回収を手動によっても或いは自動によっても行えるように、上方が開口した箱状の樹脂成型体の箱本体と、該箱本体の底面に設けられたメダル自動回収用の貫通口と、該貫通口を閉鎖するための樹脂成型体の蓋体を有し、いずれの場合でも使用できるような構造とされる。つまり、手動回収用に用いられる場合には、箱本体の底面に設けられた貫通口を蓋体により閉鎖した状態でスロットマシンの筐体内に設置される。一方、メダルを自動回収する場合には、メダル補助収納庫の箱本体の底部に敷いてある蓋体を取り除いておくか、または当該蓋体を箱本体内に立て掛けておくことにより、予め底部のメダル回収用の貫通口を開放させた状態でスロットマシンの筐体内に設置されて用いられる。
【０００６】
最近、スロットマシンの部品のリサイクルという観点から、メダル補助収納庫の箱本体の底面のメダル自動回収用の貫通口を塞ぐ蓋体が箱本体から分離して紛失しないように、例えば特許文献１のように、蓋体を箱本体の底部にヒンジ結合しておくことが提案されている。
また、補助タンクのタンク本体と蓋体とを一体的に形成し、補助タンクの底面部を蓋体の蓋体底部で兼用して、底面部を閉塞する技術が、特許文献２によって提案されている。具体的には、特許文献２は、タンク本体の底面部の全面を開口穴とし、底面部に兼用される蓋体底部によって当該開口穴を閉塞するために、蓋体に形成された第１突起部とタンク本体の一方側壁に形成された第１係止孔とを係合させる閉塞状態維持手段（係止手段）を設けている。
【先行技術文献】
【特許文献】
【０００７】
【特許文献１】特開２００９−２２６００６号公報
【特許文献２】特開２００９−２９７２０３号公報
【発明の概要】
【発明が解決しようとする課題】
【０００８】
しかしながら、特許文献１のように蓋体を箱本体の底部にヒンジ結合する場合には、ヒンジ結合のための軸部材が必要となるなど部品点数の増加を招くとともに、ヒンジ結合部を箱本体の底部に一体的に成型しようとすると設計の自由度が狭くなり金型が複雑な構造となることから成型が困難であり、しかも箱本体の底部に蓋体を組付ける作業も困難で煩わしい。
一方、特許文献２のような、底面部に兼用される蓋体底部によって当該開口穴を閉塞する構成の補助タンクは、金型が大型化・複雑化し、高価となる問題がある。また、特許文献２の補助タンクは、長年の使用に際して、蓋体底部を回動させて、開口穴を閉塞したり開放するのを数多く繰り返すと、第１突起部と第１係止孔とが摩耗して係合させたときの係合状態が緩くなり、補助タンク内に多量のコイン（メダル）を収納した状態で運ぶとき、多量のコインの重みで第１突起部と第１係止孔による係合状態が解除されて、蓋体底部が不所望に開放し、補助タンク内のコインが落下することもある。
また、特許文献２は、蓋体底部を回動させて開口穴を閉塞したり開放するのを長年に渡って繰り返すと、蓋体底部とタンク本体の他方側壁とを折曲自在に構成している薄肉部１２０ｂに亀裂が生じることもあり、タンク本体内に多量のコインを収納した状態で運ぶときに、亀裂の生じた薄肉部１２０ｂが多量のコインの重みで破損又は断裂し、タンク本体内の多量のコインが落下することもある。
【０００９】
本発明は、上記の課題を解決するためになされたものであって、部品点数の増加を招くことなく、蓋体を箱本体の底部に容易に組付けて製造することのできるメダル補助収納庫を提供することを目的とする。
【課題を解決するための手段】
【００１０】
上記目的を解決すべく、本発明は、以下の（１）ないし（３）のメダル補助収納庫に係るものである。
【００１１】
（１）メダル払出ホッパーから溢れたメダルを収納するメダル補助収納庫であって、ケース本体と、開口部と、蓋体と、溝部と、取着部と、可撓部とを備える。
ケース本体は、底面部の周囲を１対の長側壁と１対の短側壁で囲んで構成される矩形状であって、メダルを収納する。開口部は、ケース本体の底面部に形成されて、メダルを排出するためのものである。蓋体は、その平面形状がケース本体の底面部よりも小さくかつ開口部よりも大きな形状に選ばれた板状であり、その一部が開口部の全面を塞ぐ蓋部となる。溝部は、一方の長側壁の下方位置でありかつケース本体の底面部に、当該長側壁に沿って細長く形成される。取着部は、蓋体の一辺に沿って一体的に形成されかつその幅が溝部の深さ程度に選ばれ、溝部に嵌入される。可撓部は、蓋体における蓋部と取着部との間であって当該蓋体の一辺に沿う方向に形成され、かつ蓋体の厚みよりも薄くされることによって折り曲げ可能とする。
そして、蓋体は、取着部を溝部に嵌入することによって、側面から見て可撓部を軸としてケース本体の内部で回動自在に支持される。さらに、蓋体は、一方の長側壁に接するようにケース本体の内部で直立させることによって開口部を開放した状態とし、底面部に接するように回動させて底面部の上に載せることによって開口部を閉塞した状態とする。
【００１２】
上記（１）のメダル補助収納庫によれば、蓋体はケース本体の底面の開口部を覆う蓋部とケース本体の底部に形成された溝内に嵌入される取着部との間に折り曲げ可能な可撓部を有するので、当該取着部をケース本体の底部の溝内に上方から差し込むだけという簡単な作業により、ケース本体の底部に蓋体を開閉自在に取り付けることができる。しかも、蓋体がケース本体から安易に分離することがなく、メダルの自動回収用に用いた場合であっても、蓋体を紛失することもない。
【００１３】
（２）メダル補助収納庫は、ケース本体の一方の長側壁の上部と、蓋体における取着部とは反対側の端部に関連して、ケース本体の開口部を開放した状態で蓋体を維持するための第１の係止部が形成される。また、ケース本体の他方の長側壁の下部と、蓋体における取着部とは反対側の端部に関連して、ケース本体の開口部を閉塞した状態で蓋体を維持するための第２の係止部が形成されることを特徴とする。
【００１４】
上記（２）のメダル補助収納庫によれば、上記（１）の作用効果に加え、ケース本体内に、蓋体を、ケース本体の底面の開口部を閉鎖した状態であっても開放した状態であっても、バタつかないように良好に係止できる。また、メダルの手動回収においてはメダル補助収納庫を逆さまにしてメダル回収箱にメダルを入れようとしても蓋体がバタバタせず、メダルの自動回収においては蓋体が意に反してケース本体の開口部を閉じてしまうことを防止できる。
【００１５】
（３）ケース本体の底面部の裏側には、開口部の内周部を囲むように、リブが突出して形成される。リブは、その下端部分が一対の長側壁および一対の短側壁の下端部と同一面となるように選ばれることを特徴とする。
【発明の効果】
【００１６】
本発明によれば、メダルの回収を手動及び自動の両方の方法に用いることができるメダル補助収納庫を、部品点数の増加を招くことなく、蓋体をケース本体の底部に容易に組付けて製造することができる。しかも、ケース本体の底部に容易に組付けられた蓋体は、ケース本体から分離させられることなく使用されるので、蓋体を紛失することを防止できる。
【図面の簡単な説明】
【００１７】
【図１】スロットマシンの外観構成を示す斜視図である。
【図２】スロットマシンの内部構成を示す斜視図であって、ドア（前扉）を開けた状態を示す。
【図３】スロットマシンの筐体内底部の構成を示す斜視図であって、ホッパー及びメダル補助収納庫が配置された状態を示す。
【図４】メダル補助収納庫を示す斜視図である。
【図５】メダル補助収納庫を示す断面図であり、（Ａ）底面の開口を閉塞した状態及び（Ｂ）底面の開口を開放した状態を示す。
【発明を実施するための形態】
【００１８】
以下、本発明の実施の形態について、添付図面に基づき詳細に説明する。
【００１９】
［外観構成］
図１に示すように、スロットマシン１は、前面が開放している箱形の筐体２と、この筐体２に対して開閉自在に取り付けられているドア（前扉）３とを備えている。
【００２０】
ドア３の正面の上部には、遊技に関する種々の演出、情報などを表示する液晶表示器４が取り付けられる。中央部にはリールフロントパネル５が装着されている。液晶表示装置４の上には、当該液晶表示装置４に表示された演出画像等に対応した演出音、遊技状態に応じた効果音等を出力するための一対の上部スピーカー１９Ａ，１９Ｂが取り付けられる。リールフロントパネル５の中央部には、５本の有効ライン２０Ａ〜２０Ｅが描かれた表示窓が形成される。リールフロントパネル５の下部であって表示窓の下には、入賞が発生した場合に遊技者に対して払い出されるメダル数を表示する遊技メダル払出枚数表示器２１及び遊技者の所有する有価価値としてスロットマシン１にクレジットされているメダル数を表示する遊技メダル貯留枚数表示器２２などの各種表示器、表示ランプが配設されている。
【００２１】
ドア３の下部には、機種名及びイメージデザイン等が印刷されたタイトルパネル６が装着され、その下方の左寄りには灰皿７が設けられ、中央部から右手にかけてメダル受け皿８が設けられている。また、メダル受け皿８の中央部に臨むように遊技メダル払出口９が設けられ、その両側に一対の下部スピーカー１８Ａ，１８Ｂが設けられている。
【００２２】
リールフロントパネル５とタイトルパネル６との間には、操作部が設けられている。この操作部の上段部の右寄りには遊技メダル投入口１０が設けられ、左寄りには遊技メダル精算ボタン１２、ベットボタン（貯留遊技メダル１枚毎投入ボタン１３及び貯留遊技メダル３枚毎投入ボタン１４）が設けられ、中寄りには液晶表示装置４の各種表示内容を切替えるための２つの液晶対応ボタンＫ１，Ｋ２が設けられている。
【００２３】
操作部の正面部左寄りにはリールの回転を開始させるための始動レバー１５が、中央にはリールの回転を停止させるための３つの停止ボタン１６Ｌ，１６Ｃ，１６Ｒが、また右寄りには遊技メダル投入口１０に投入した遊技メダルが詰まったときに該遊技メダルを遊技メダル払出口９から返却させるための返却ボタン１７が配置されている。なお、ドア３の中央右端部には鍵１１が設けられている。
【００２４】
［内部構成］
図２に示すように、筐体２内の中央部には３つのリール３０Ｌ，３０Ｃ，３０Ｒが配置され、その上にリール制御中継基板３１が設けられ、各リール３０Ｌ，３０Ｃ，３０Ｒの駆動源であるステッピングモーターなどが配置されている。
【００２５】
筐体２内の奥壁上部には、スロットマシン１の基本動作やリール制御などを司るプログラムが収められたＲＯＭやＣＰＵ，ＲＡＭ，コネクタなどの搭載された主制御基板（主基板）を収めた主基板ケース１００を備えた主基板ユニットが取り付けられる。筐体２内の底部には、電源装置３３、遊技メダル払出装置（ホッパー）３４、メダル補助収納庫３５などが配置される。
【００２６】
ドア３の操作部の背面側には操作系制御中継基板３２が取り付けられる。液晶表示装置４の背面側には、当該液晶表示装置４に表示する画像の表示、上下部スピーカー１８Ａ，１８Ｂ，１９Ａ，１９Ｂの音出力などを制御するための副制御基板を収めた副基板ケース２００が取り付けられる。
【００２７】
［メダル補助収納庫の構造］
図３に示すように、スロットマシン１の筐体２の底板上には遊技結果等に応じて遊技メダルＭをメダル払出口９からメダル受け皿８へ払出す機能を有するホッパー３４が固定されて配置される。このホッパー３４に隣接して、メダル補助収納庫３５が載置されて併設される。ホッパー３４は、上部に遊技メダルＭを収納するホッパータンク３４１を備える。ホッパータンク３４１には、許容量を超えて溢れ出る遊技メダルＭを隣接するメダル補助収納庫３５内へと導出するオーバーフローシュート３４２が設けられる。
【００２８】
メダル補助収納庫３５は、ホッパー３４のオーバーフローシュート３４２の開口下に、オーバーフローシュート３４２から溢れ出し落下する遊技メダルＭを受けることができるように、筐体２の底板上に載置される。その側面には、上下に２つずつ開口が形成される。上側の２つの開口３６ａ，３６ａ（図５参照）には、筐体２の背板の下部に取り付けられたメダル補助収納庫センサ（電極）３６，３６が挿入される。下側の２つの開口３７ａ，３７ａ（図５参照）には、筐体２の背板の下部に取り付けられたメダル補助収納庫用アース（電極）３７，３７が挿入される。なお、一対のメダル補助収納庫センサ３６、３６は、メダル補助収納庫３５内が遊技メダルＭで満杯になったことを検出するためのものである。
【００２９】
以下、メダル補助収納庫３５の構成についてより詳細に説明する。図４及び図５に示すように、メダル補助収納庫３５は、ケース本体３５１及び２つの蓋体（底板）３５４，３５４を備える。ケース本体３５１は、例えばＡＢＳ樹脂などの合成樹脂成型体からなる直方体状とされる。
具体的には、ケース本体３５１は、長方形状の底面部３５１ｄの周囲を１対の長側壁３５１ｅと１対の短側壁３５１ｆで囲み、各長側壁３５１ｅ，短側壁３５１ｆが上方に向かって開くように傾斜して、その上部が開口とされる。また、ケース本体３５１の上端部の近傍には、その上部の開口を一段と拡張するための段部３５１ｇが形成される。
一方の長側壁（図５の右側）３５１ｅの段部３５１ｇの近傍には、所定間隔を隔てて２つの第１の係止孔３５１ｃ，３５１ｃが形成される。
【００３０】
ケース本体３５１の底面部３５１ｄの一部には、長側壁３５１ｅの伸びる方向に、２つの開口部３５２，３５２が形成される。底面部３５１ｄの開口部３５２の周縁下部（裏側）には、リブ３５１ｈが突出して形成される。このリブ３５１ｈは、図５（Ａ）（Ｂ）に示すように、その下端が長側壁３５１ｅの下端と同一面となるまで突出するように形成される。
また、底面部（底板）３５１ｄの下面（又は裏面）には、格子状に補強リブ３５１ｊが立設される。また、ケース本体３５１の他方の長側壁（図５の左側）３５１ｅの下部には、第１の係止孔３５１ｃ，３５１ｃに対向するように２つの第２の係止孔３５１ｂ，３５１ｂが形成される。
さらに、ケース本体３５１の一方の長側壁３５１ｅの下部であって底面部３５１ｄには、当該長側壁に沿うようにして垂直方向に掘られたスリット状の取着溝（溝部）３５１ａ，３５１ａが直線状に並べて２つ設けられる。換言すると、取着溝（溝部）３５１ａは、一方の長側壁３５１ｅの下方位置でありかつケース本体３５１の底面部３５１ｄに、当該長側壁３５１ｅに沿って細長く形成される。
【００３１】
他方、蓋体３５４は、例えばポリプロピレン樹脂などの合成樹脂成型体からなる矩形板状であって、その一辺（開口部３５２を閉塞したときの図５（Ａ）において横方向となる辺）が底面部３５１ｄの短辺よりも短くかつ開口部３５２の短辺よりも長く選ばれ、長側壁３５１ｅに沿う方向の他の辺が開口部３５２の長辺よりも長く選ばれる。長側壁３５１ｅに沿う蓋体３５４の一辺（図５（Ｂ）の下辺）には、可撓部３５７を介して取着部３５６が一体的に形成される。換言すると、蓋体３５４と取着部３５６とが１枚の板状部材で構成されて、蓋体３５４と取着部３５６との接する部分が肉厚を薄く形成することによって、可撓部３５７とされる。蓋体３５４の一部であって開口部３５２の上部を覆う部分が蓋部３５５とされる。
この蓋部３５５は、遊技メダルＭがケース本体３５１の深さ量一杯に載せられても変形や亀裂が生じない程度の強度を持たせる所定の厚さとされ、ケース本体３５１の底面の開口部３５２を完全に覆う程度の面積を有し、ケース本体３５１の底面に収まるように、当該底面の幅方向の長さより僅かに短い長さとされる。なお、蓋部３５５は、使用する樹脂量を低減するべく、補強リブを設けることで、全体的に薄く形成される。
そして、蓋体３５５の上辺中央部には係止部３５５ａが略垂直方向に延設されている。係止部３５５ａの先端部には、第１の爪部３５５ｃが形成され、付根付近には、第２の爪部３５５ｂが第１の爪部３５５ｃとは逆の方向に突出するように形成される。
【００３２】
蓋体３５４の取着部３５６は、蓋部３５５の厚みと同じ若しくはそれよりも厚く形成された細長い矩形板状（又は帯状）とされ、下端に２つの爪部３５４ａ，３５４ａが形成される。この取着部３５６は、ケース本体３５１の底側部の取着溝３５１ａに上方から差し込むようにして嵌入されることによって、蓋部３５５がケース本体３５１の開口部３５２の上面から突出するように、蓋体３５４がケース本体３５１の内部において回動自在に取着される。このとき、取着部３５６の爪部３５４ａ，３５４ａがケース本体３５１の取着溝３５１ａの底に形成された２つの孔に係止される。
なお、ケース本体３５１の外側からこの２つの孔を介して２箇所の爪部３５４ａ，３５４ａを押し下げながら、蓋部３５５を上方に引き上げることによって、蓋体３５４をケース本体３５１から取り外すことができる。
【００３３】
蓋体３５４の可撓部３５７は、蓋部３５５及び取着部３５６の厚みよりも薄く形成されることによって、蓋体３５４を取着部３５６に対して直角に屈曲したり、真直ぐにしたりするのを自在にできるように、蓋部３５５と取着部３５６とを折り曲げ自在に連結している。
【００３４】
次に、ケース本体３５１の底面の開口部３５２を蓋体３５４で閉塞する場合及び当該開口部３５２を開放する場合について説明する。
メダル収納庫３５の使用に先立ち、蓋体３５４がケース本体３５１に取付けられて、組み立てられる。すなわち、ケース本体３５１の一方の長側壁３５１ｅに沿う底面部３５１ｄに形成された取着溝３５１ａに対して、取着部３５６が差し込まれて嵌入されることによって、蓋体３５２が可撓部３５７を軸として回動自在（又は折り曲げ自在）に支持される。
そして、ケース本体３５１の開口部３５２を蓋体３５４で閉塞する場合は、図５（Ａ）に示すように、蓋体３５４がその可撓部３５７において折り曲げられて底面部３５１ｄに接するまで回動されて、蓋体３５４の一部の蓋部３５５がケース本体３５１の開口部３５２を上から覆うように水平位置とされる。このとき、蓋体３５４の蓋部３５５がスプリングバック現象により立ち上がらないように、蓋部３５５の先端中央部に設けられた係止部３５５ａの第２の爪部３５５ｂが、取着溝３５１ａが設けられたのと対向する側のケース本体３５１の長側壁の下部に設けられた第２の係止孔３５１ｂに係止されて第２の係止部３５４ｃが構成される。これによって、ケース本体３５１内に収納されている遊技メダルＭが開口部３５２から落下することのないように、開口部３５２の上部を隙間なく蓋体３５４（蓋部３５５）によって蓋すことになる。
なお、蓋体３５４の係止部３５５ａの第２の係止部３５４ｃの係止状態を解除し、当該係止部３５５ａを摘んで上方（図中矢印の方向）へ持ち上げることにより、ケース本体３５１の開口部３５２を開放することができる。
【００３５】
一方、ケース本体３５１の開口部３５２を開放する場合は、図５（Ｂ）に示すように、蓋体３５４が当該長側壁の内壁面に接するように起立（直立）した状態まで回動されて保持される。このとき、蓋体３５４の蓋部３５５がふらつかないように、蓋部３５５の先端中央部に設けられた係止部３５５ａの第１の爪部３５５ｃが、ケース本体３５１の上部の段部に設けられた第１の係止孔３５１ｃに係止され、第１の係止部３５４ｂが構成される。
なお、蓋体３５４の係止部３５５ａの第１の係止部３５４ｂの係止状態を解除し、当該係止部３５５ａを摘んで下方（図中矢印の方向）へ倒すようにすることにより、ケース本体３５１の開口部３５２を閉塞することができる。
【００３６】
なお、本発明は、上述した例に限定されるものではなく、本発明の構成を充足する範囲内で、適宜設計変更を行うことが可能である。
【符号の説明】
【００３７】
３５ メダル補助収納庫
３５１ ケース本体
３５１ａ 取着溝
３５１ｂ 第１の係止孔
３５１ｃ 第２の係止孔
３５１ｄ 底面部
３５１ｅ 長側壁
３５１ｆ 短側壁
３５１ｇ 段部
３５１ｈ （底面部裏側の開口部周縁に形成された）リブ
３５１ｊ 格子状の補強リブ
３５２ 開口部
３５４ 蓋体
３５４ａ 爪部
３５４ｂ 第１の係止部
３５４ｃ 第２の係止部
３５５ 蓋部
３５５ａ 係止部
３５５ｂ 第２の爪部
３５５ｃ 第１の爪部
３５６ 取着部
３５７ 可撓部
【図１】
0005571975.tif 000002
【図２】
0005571975.tif 000003
【図３】
0005571975.tif 000004
【図４】
0005571975.tif 000005
【図５】
0005571975.tif 000006